(57)【要約】  無線センサ又はネットワーク管理システムの事前の構成のない、ネットワーク（4）へのネットワークエレメント（特に医療センサ）（2）の信頼性のある制御された割り当ては、無線ネットワーク（4）にネットワークエレメント（2）を割り当てる割り当てユニット(1)を使用することで実行され得る。その割り当てユニット（1）は、ユーザ制御で、第１のネットワークエレメント（2）にコードを送信する送信機を有し、そのコードは、第１のネットワークエレメント（2）にコード（符号化ID）と共にそのIDを送信するようにさせ、それにより、後者が第２のネットワークエレメント（3）により受信されることが可能になり、第２のネットワークエレメント（3）は、そのネットワーク（4）に第１のネットワークエレメント（2）を割り当てる。
2007527635.tif 000002
【特許請求の範囲】
【請求項１】
無線ネットワークにネットワークエレメントを割り当てる方法であって、
割り当てユニット（ZG）は第１のネットワークエレメント（NE-1）にコードを送信し、そのコードは、前記第１のネットワークエレメント（NE-1）に前記コード（符号化ID）と共にそのIDを送信させ、それにより、後者が第２のネットワークエレメント（NE-2）により受信されることが可能になり、前記第２のネットワークエレメント（NE-2）がそのネットワークに前記第１のネットワークエレメント（NE-1）を割り当てる方法。
【請求項２】
請求項１に記載の方法であって、
前記割り当てユニットは、符号化光パルスを送信する方法。
【請求項３】
請求項１に記載の方法であって、
前記割り当てユニットは、符号化無線信号を送信する方法。
【請求項４】
請求項１ないし３のうちいずれか１項に記載の方法であって、
NE-1からの前記符号化IDを受信するようにNE-2をアクティベートすることは、前記割り当てユニットから前記コードを受信することで生じる方法。
【請求項５】
請求項１ないし４のうちいずれか１項に記載の方法であって、
前記割り当てユニットは、NE-1から前記符号化IDを受信し、それをNE-2に送信することができる方法。
【請求項６】
請求項１ないし５のうちいずれか１項に記載の方法であって、
前記割り当てユニットは、第１のネットワークエレメント（NE-1）に前記第２のネットワークエレメント（NE-2）のネットワークを去るようにさせる第２のコードを送信することができる方法。
【請求項７】
請求項１ないし５のうちいずれか１項に記載の方法であって、
前記割り当てユニットは、ネットワーク管理機能を有する第２のネットワークエレメント（NE-2）にネットワークを解散させる第２のコードを送信することができる方法。
【請求項８】
請求項６又は７に記載の方法であって、
ネットワークエレメントを除去する第２のコード、又はネットワークを解散する第２のコードは、長期間又は複数回送信される第１のコードにある方法。
【請求項９】
無線ネットワークにネットワークエレメントを割り当てる割り当てユニットであって、
ユーザ制御で、第１のネットワークエレメント（NE-1）にコードを送信する送信機を有し、そのコードは、前記第１のネットワークエレメント（NE-1）に前記コード（符号化ID）と共にそのIDを送信させ、それにより、後者が第２のネットワークエレメント（NE-2）により受信されることが可能になり、第２のネットワークエレメント（NE-2）がそのネットワークに前記第１のネットワークエレメント（NE-1）を割り当てる割り当てユニット。
【請求項１０】
請求項９に記載の割り当てユニットであって、
前記送信機は、符号化光パルス及び／又は符号化無線信号を送信する装置を有する割り当てユニット。
【請求項１１】
請求項９又は１０に記載の割り当てユニットであって、
前記第１のネットワークエレメント（NE-1）に前記コード（符号化ID）と共にそのIDを送信させるコードは、前記第２のネットワークエレメント（NE-2）にNE-1からの前記符号化IDを受信する状態にさせる割り当てユニット。
【請求項１２】
請求項９ないし１１のうちいずれか１項に記載の割り当てユニットであって、
符号化IDを受信する受信機が更に存在する割り当てユニット。
【請求項１３】
請求項９ないし１２のうちいずれか１項に記載の割り当てユニットであって、
各動作状態を表示する１つ以上の装置が更に存在する割り当てユニット。
【請求項１４】
請求項９ないし１２のうちいずれか１項に記載の割り当てユニットであって、
ユーザ制御で、前記第１のネットワークエレメント（NE-1）に前記第２のネットワークエレメント（NE-2）のネットワークを去るようにさせる第２のコード、又はネットワーク管理機能を備えた第２のネットワークエレメント（NE-2）にネットワークを解散させる第２のコードを送信する送信機が更に存在する割り当てユニット。
【発明の詳細な説明】
【技術分野】
【０００１】
本発明は、無線ネットワークへの新しいネットワークエレメントの信頼のある割り当て方法及びユニットに関する。
【０００２】
好ましい用途の分野は、無線ネットワークに接続された医療センサを用いて患者を監視する分野である。この場合、新しいネットワークエレメント（例えば、患者の血圧を監視する医療センサ）は、不正確な構成を妨げるために、信頼性のある一義的な方法で既存のネットワーク（例えば、患者の体温を監視する患者の他のセンサ）に割り当てられなければならない。医療部門では、スタッフが高度の時間的圧力及び高度の精神的物理的ストレスのもとで活動しなければならないという事実により、前記のことはしばしば困難になる。更に、このような割り当て部門では、誤りが生じてはならない。この場合にネットワークへのネットワークエレメントの信頼性のある一義的な割り当てが絶対的に必要であるということは明らかである。
【０００３】
本発明に関して、医療センサは、患者からデータを記録し、それを処理ユニットに転送するセンサである。本発明に関して、“患者データ”という用語は、生理的データ（例えば、リアルタイムECG信号、血圧、血液内CO2飽和状態、血糖値、体温等）と非生理的データ（例えば、電池残量、患者の位置等）との双方を含む。
【背景技術】
【０００４】
米国特許出願US2001/0023315A1は、センサが患者データを天井に取り付けられた無線周波数トランシーバに送信する医療システムを開示している。これらのトランシーバは、各センサが少なくとも２つのトランシーバに送信し、より良い接続が使用されることで、データをLANに送信する。しかし、センサの構成及びそのLANへの組み込みはまた、この場合には手動で行われなれればならず、そのため、時間がかかり、複雑である。更に、米国特許出願US2002/109621A1は、無線バイオセンサを有する監視システムで使用されるプロトコルについて記載しているが、この場合にも、システムへのセンサの初期の割り当ては手動で行われなければならない。
【発明の開示】
【発明が解決しようとする課題】
【０００５】
無線センサ又はネットワーク監視システムの事前の構成で、ネットワークへのネットワークエレメント（特に医療センサ）の信頼のある制御された割り当てを可能にする方法及びユニットを提供することが、本発明の目的である。
【課題を解決するための手段】
【０００６】
コードを送信し、それにより、符号化IDの送信をもたらす割り当てユニットの使用は、要件の必要なプロフィールを満たすことが見出されている。
【０００７】
本発明の１つの目的は、無線ネットワークにネットワークエレメントを割り当てる方法であり、割り当てユニット（ZG）は第１のネットワークエレメント（NE-1）にコードを送信し、そのコードは、第１のネットワークエレメント（NE-1）にコード（符号化ID）と共にそのIDを送信させ、それにより、後者が第２のネットワークエレメント（NE-2）により受信されることが可能になり、第２のネットワークエレメント（NE-2）がそのネットワークに第１のネットワークエレメント（NE-1）を割り当てる。
【０００８】
本発明の方法によれば、組み込まれる装置（ネットワークエレメント）のIDが既存のネットワークに渡されるか、又は既存のネットワークと組み込まれる新しい装置とが共通コードにより接続に至らされる。
【発明を実施するための最良の形態】
【０００９】
本発明による方法は、図１に概略的に示されている。ネットワーク4は、ネットワーク管理機能を備えたネットワークエレメント3の周りに構築される。割り当てユニット1は、ネットワーク管理機能を備えたネットワークエレメント3の周りのネットワーク4に、割り当てられるネットワークエレメント2を組み込む。
【００１０】
本発明による方法を使用する構成要素は、図２に示されている。ネットワークエレメント2及びネットワーク管理機能を備えたネットワークエレメント3は、受信機5と無線インタフェース6とを有する。割り当てユニット1は、例えばプッシュボタン7でアクティブになり得る送信機8を有する。
【００１１】
本発明による方法の利点は、特に、ネットワークエレメント又はネットワークへの手動の事前設定が必要ないという点である。本発明による方法により、技術的でないスタッフによる直観的動作が可能になり、ネットワークエレメントのLEDを用いて動作の成功した遂行についての直接のフィードバックの可能性を提供する。それは、同じ形式の複数のネットワークエレメントが相互に隣接して使用される環境であっても、無線センサ／ネットワークエレメントの信頼性のある割り当てを可能にする。
【００１２】
割り当てユニットによるコードの送信は、多様な方法で行われてもよい。本発明による方法を実行する１つの可能性は、割り当てユニットが符号化光パルスを送信することにある。
【００１３】
その方法のこの変形では、割り当てユニットは、割り当てユニット毎に固有のコードを送出するために使用される光パルスを送信する。符号化光パルスの送信は、例えば割り当てユニットのボタンを一度押下することにより又は押さえ続けることにより、ユーザ起動で行われることが好ましい。
【００１４】
割り当てユニットからコードを受信することにより、光パルス用の受信機を有するネットワークエレメントは、受信したコードと共にその識別表示（ID）を所定の期間に送信するようにされる。ネットワークエレメントのこの動作状態は、例えばLEDを用いて光学的に表示されてもよい。LEDはまた、割り当てユニットからの光パルスの受信を表示してもよい。
【００１５】
割り当てユニットから受信したコードと共にNE-1により送信されたID（以下では“符号化ID”と呼ばれる）は、ネットワークエレメントNE-2により受信されてもよい。それは、ネットワークに新しいネットワークエレメントを割り当てる権限が与えられる。有利には、ネットワークエレメントNE-2は、符号化IDを受信するために一時的にのみアクティベートされる（以下参照）。
【００１６】
異なる符号化割り当てユニットを使用することにより、範囲内にある２つの隣接するネットワークにおいて、装置がネットワークに一義的に割り当てられ得ることが確保され得る。
【００１７】
符号化光パルスを用いた本発明による割り当ての好ましい手順は、図３に示されている。図３において、２つのネットワークエレメント（ネットワークに新しく割り当てられる第１のネットワークエレメントNE-1（新しいネットワークエレメント）と、ネットワーク管理機能を有する第２のネットワークエレメントNE-2（ネットワーク管理を備えたネットワークエレメント））は、割り当てユニット（ZG）から符号化光パルスを受信するために、“受信（光）”状態にある。ZGからのコードがNE-1で受信されると、NE-1は、“送信（無線）”状態に切り替える。この場合、その独自の識別表示と受信コード（いわゆる符号化ID）とを有するメッセージは、所定の時間間隔で定期的にNE-1により送信される。
【００１８】
NE-1が符号化IDを送信する時間間隔は、1秒から1分の範囲にあることが好ましく、特に2秒から30秒の範囲にあることが好ましく、特に5秒から10秒の範囲にある。この時間間隔内での繰り返し率（すなわち、信号（符号化ID）が再送信される時間）は、0.05から5秒の範囲にあることが好ましく、特に0.1から3秒の範囲にあることが好ましく、特に0.2から1秒の範囲にある。従って、ZGによりアクティベートされたNE-1がその符号化IDを送信する頻度は、数回から数百回であることが好ましく、例えば、１回、２回、３回、４回、５回、６回、７回、８回、９回又は１０回から５０回若しくは１００回又はそれ以上でもよい。２つのネットワークエレメントが接触する時間ウィンドウの選択は、ユーザに迅速なフィードバックを与えるためのできるだけ短い反応と、できるだけ低い電力消費（電力消費は送信動作の数と共に増加する）との間で折衷案を作る。実際に有用であるとわかった値は、例えば毎秒2〜4パケットの送信レートで5〜10秒の時間ウィンドウであり、毎秒10〜40回の頻度を生じる。より短い時間ウィンドウの場合は、間隔が短く選択されるべきであり、長い時間ウィンドウの場合は、間隔が長く選択されるべきである。
【００１９】
図３に示すように、ネットワーク管理機能を備えたネットワークエレメントNE-2は、符号化IDを受信すると、“接続設定”状態に切り替わり得る。それに対して、ネットワーク管理機能を備えたネットワークエレメントが不適切な（すなわち不正確な）コードを備えたメッセージを受信すると、“受信（無線）”状態に留まる。時間間隔が経過した後に、それは“受信（光）”状態に戻る。この変形の１つの欠点は、NE-2が既にコードを知っていなければならないことであり、すなわち、新しいエレメントが割り当てられるそれぞれ個々のネットワークがネットワーク管理機能を備えた独自のネットワークエレメントを有していなければならないことである。
【００２０】
本発明によれば、このことは、ネットワーク管理機能を備えたネットワークエレメントをアクティベートするために同様に割り当てユニットが使用されることで、有利に行われる。適切なアクティベートに続いて、ネットワーク管理機能を備えたネットワークエレメントは、ZGにより事前にアクティベートされたネットワークエレメントから符号化IDを受信する状態にある。接続設定に関する他のメッセージはこの時間の間は無視され、それにより一義的な割り当てが確保される。
【００２１】
本発明による特に好ましい方法では、NE-1から符号化IDを受信するためのNE-2のアクティベートは、割り当てユニットからコードを受信することにより生じる。
【００２２】
本発明による方法のこの好ましい変形では、ネットワークエレメントNE-2は、ネットワーク管理特性を有しており、NE-2の周りのネットワークが更なるネットワークエレメントNE-xを有することが可能になる。NE-2の周りのネットワークに割り当てられるネットワークエレメントNE-1では、イベントE1が割り当てユニットを用いてもたらされる（NE1はその符号化IDを送信するようにされる）。このイベントE1と同時に、イベントE2がネットワークエレメントNE-2にもたらされる（NE-2は符号化IDを受信するようにされる）。NE-2が接続を設定する要求を同時期に受信した場合にのみ、この要求は肯定応答で応答される。これに関して、“同時期に”とは、受信がイベントE2に続く時間ウィンドウ内になければならないことを意味する。このため、NE-1は、イベントE1に続く期間内に定期的にその要求を送信することが好ましい（以下参照）。NE-1及びNE-2の２つの期間は、成功の接続設定のため、そこで重複しなければならない。
【００２３】
この変形では、それぞれアクティベートされたネットワークエレメントNE-1及びNE-2のみが相互に接続を設定するために、イベント（割り当てユニットによるアクティベート）の時間的近接性のみが使用される。病院の環境では、範囲内の２つの隣接するネットワークが同時にアクティベートされることが可能になってもよい。この場合に一義的な割り当てを更に確保するため、イベントE1及びE2は、固有のIDを受信してもよい。NE-1は受信IDと共にその要求を送信し、NE-2のみが受信IDを備えた要求を受け入れる。割り当てユニットは、短距離データ伝送を可能にする多様な技術（特に無線技術（例えば近距離通信（Near  Field  Communication）、例えばRF-ID等）、又は好ましくは赤外線通信）を利用してもよい（前記参照）。
【００２４】
本発明による方法のこの好ましい変形では、新しいネットワークエレメントからの送信識別表示に所定の期間内に反応し、それによりネットワークに割り当てるために、ネットワークへの新しいネットワークエレメントの割り当てを実行するネットワークの権限（ネットワーク管理）は、割り当てユニットの信号（符号化光パルス又は無線信号）により同様にアクティベートされる。割り当てユニットを介して同じコードを受信した新しいネットワークエレメントからの識別表示のみが受け入れられる。
【００２５】
前述の好ましい手順は、以下のステップで補われる。ネットワーク管理を備えたネットワークエレメントNE-2が割り当てユニットから符号化光パルスを受信すると、それは“受信（光）”状態から“受信（無線）”状態に切り替える。それは、ZGによりNE-2に与えられたものと同じコードを有するメッセージのみを受け入れる。所定の期間内に有効なメッセージが受信されない場合、NE-2は“受信（光）”状態に戻る。有効なメッセージ（すなわち同じコードで符号化されたID）が受信されると、“接続設定”状態に移行する。この状態に続いて、更なるネットワークエレメントをネットワークに統合できるように、“受信（光）”状態に戻る。
【００２６】
この場合にも、NE-2が符号化IDを受信可能な期間は、1秒から1分の範囲にあることが好ましく、特に2秒から30秒の範囲にあることが好ましく、特に5秒から10秒の範囲にある。
【００２７】
中央ネットワーク管理のない無線ネットワークでは、２つの機能（“受信（光）→送信（無線）”及び“受信（光）→受信（無線）”）は、それぞれ個々のネットワークエレメントで実装されてもよい。このように、如何なる所望のネットワークエレメントの間での割り当てが作られ得る。
【００２８】
その方法をよりユーザフレンドリにするために、個々のネットワークエレメントのそれぞれの動作状態は、光学的又は聴覚的に知覚できるようにされてもよい。従って、例えばユニットの点滅するLEDは、“送信（無線）”の状態を示してもよく、長く（例えば2秒間）光るLEDは、割り当てが成功したことを示してもよい。
【００２９】
更に、ネットワークエレメントは、ネットワーク検査機能を与えられてもよい。ネットワークエレメントのアクティベート（すなわち、符号化光パルスの受信）は、無線ネットワークにある全てのネットワークエレメントの光学的レポートに導く。従って、ネットワーク内の個々のネットワークエレメントの所属が迅速に検査され得る。
【００３０】
本発明による方法は、ネットワーク機能を備えたネットワークエレメント及び新しく割り当てられるネットワークエレメントがアクティベートされるシーケンスが需要でないとう利点を有する。更に、割り当てユニット毎の固有のコードにより、一義的な割り当てが確保される。本発明による手順でネットワークエレメントが例えばLEDを備えている場合、ZGによりもたらされる光学的レポートにより、ネットワークへのネットワークエレメントの割り当ての迅速な診断が可能になる。
【００３１】
符号化光パルスを用いたアクティベートの代替として、本発明による方法では無線信号を用いてネットワークエレメントをアクティベートする割り当てユニットを使用することも可能である。本発明による１つの好ましい変形では、割り当てユニットは符号化無線信号を送信する。
【００３２】
この変形は、この場合に割り当てユニットが符号化光パルスを送信しないが、符号化無線信号を送信するという事実を除いて、前述の変形と完全に類似している。従って、割り当てユニットは無線インタフェース（送信機）を必要とする。この変形では、固有のコードの光学的送信は、ネットワークエレメントに既に存在している無線インタフェースの使用で交換される。
【００３３】
この変形では、割り当てユニットは、所望の装置のみが選択されるように、短距離伝送範囲を有するべきである。この変形では、割り当てユニットは0.5から150cmまでの範囲を有することが好ましく、特に1から100cmまでの範囲を有することが好ましく、特に2から20cmまでの範囲を有する。
【００３４】
本発明による符号化無線信号を用いた割り当ての好ましい手順について、以下に説明する。２つのネットワークエレメント（ネットワークに新しく割り当てられる第１のネットワークエレメントNE-1と、ネットワーク管理機能を有する第２のネットワークエレメントNE-2）は、割り当てユニット（ZG）から符号化無線信号を受信するために、“受信（無線、コード）”状態にある。ZGからのコードがNE-1で受信されると、NE-1は“送信（無線、符号化ID）”状態に切り替える。この場合、独自の識別表示及び受信コード（いわゆる符号化ID）を有するメッセージは、所定の時間間隔で定期的にNE-1により送信される。
【００３５】
NE-1が符号化IDを送信する時間間隔は、1秒から1分の範囲にあることが好ましく、特に2秒から30秒の範囲にあることが好ましく、特に5秒から10秒の範囲にある。この時間間隔内での繰り返し率（すなわち、信号（符号化ID）が再送信される時間）は、0.05から5秒の範囲にあることが好ましく、特に0.1から3秒の範囲にあることが好ましく、特に0.2から1秒の範囲にある。従って、ZGによりアクティベートされたNE-1がその符号化IDを送信する頻度は、数回から数百回でもよい。
【００３６】
ネットワーク管理機能を備えたネットワークエレメントNE-2が符号化IDを受信すると、それは“接続設定”状態に切り替えることができる。代替として及び好ましくは、前述のように、ネットワーク管理機能を備えたネットワークエレメントをアクティベートするために、割り当てユニットが同様に使用されることも可能である。ZGからの無線信号による適切なアクティベートに続いて、ネットワーク管理機能を備えたネットワークエレメントは、ZGにより事前にアクティベートされたネットワークエレメントから符号化IDを受信する状態にある。他のメッセージはこの時間の間は無視され、それにより一義的な割り当てが確保される。
【００３７】
図３に示した前述の手順は、以下のステップで補われる。ネットワーク管理を備えたネットワークエレメントNE-2が割り当てユニットから符号化無線信号を受信すると、それは“受信（無線、コード）”状態から“受信（無線、符号化ID）”状態に切り替える。それは、ZGによりNE-2に与えられたものと同じコードを有するメッセージのみを受け入れる。所定の期間内に有効なメッセージが受信されない場合、NE-2は“受信（無線、コード）”状態に戻る。有効なメッセージ（すなわち同じコードで符号化されたID）が受信されると、“接続設定”状態に移行する。この状態に続いて、更なるネットワークエレメントをネットワークに統合できるように、“受信（無線、コード）”状態に戻る。
【００３８】
この変形では、中央ネットワーク管理のない無線ネットワークでは、２つの機能（“受信（無線、コード）→送信（無線、符号化ID）”及び“受信（無線、コード）→受信（無線、符号化ID）”）は、それぞれ個々のネットワークエレメントで実装されてもよい。このように、如何なる所望のネットワークエレメントの間での割り当てが作られ得る。
【００３９】
前述の方法の改良では、割り当てられるネットワークエレメントは、ネットワーク管理機能を備えたネットワークエレメントにその符号化IDを送信する。しかし、本発明による方法はまた、割り当てられるネットワークエレメントがコードの受信によりアクティベートされ、その符号化IDを送信し、この符号化IDがNE-2ではなく割り当てユニットに送信されるように構成されてもよい。割り当てユニットは、ネットワーク管理機能を備えたネットワークエレメントに受信した符号化IDを転送することができ、同時に、NE-1及びNE-2が相互に直接通信する必要なく、符号化IDの伝達器として動作する。
【００４０】
本発明による方法の好ましい変形では、割り当てユニットは、NE-1から符号化IDを受信し、それをNE-2に送信してもよい。
【００４１】
このような好ましい手順が図４に示されている。この場合の割り当てユニットは、無線ネットワークで使用されるものと同じネットワークインタフェースを有するように構成される。割り当てユニット（例えば無線インタフェースを備えたZG、前記参照）が新しいネットワークエレメントNE-1の十分に近くにくると、割り当てユニットが新しいネットワークエレメントの固有の識別表示を取得することで、プロトコルがもたらされる。割り当てユニットはネットワーク権限を有しており、識別表示（符号化ID）が再度出力され、ネットワークエレメントNE-1がネットワークに既知になる。所定の距離まで近くに来るという概念は、受信信号強度の閾値若しくはZGの非常に低い送信出力又はこれらの２つの手段の組み合わせにより実現される。
【００４２】
前述の方法の変形による割り当てユニットを用いた新しいネットワークエレメントの組み込みは、例えば“ピックアップ”機能を組み込むことで、更に洗練されてもよい。この場合、新しいネットワークエレメントのピックアップは、割り当てユニットを近くに持ってくることによりもたらされるのではなく、例えばボタンを押すことによりもたらされる。例えばLEDにより示され得るようにユーザがボタンを押し続けると、ZGは識別子を受信する。符号化IDを更なる（ネットワーク管理機能を備えた）ネットワークエレメントに出力するために、ボタンは単に解放されなければならず、これも同様にLED又はLEDの消灯により示される。
【００４３】
前述のように、割り当ての指示は自由に選択されてもよい。すなわち、ネットワーク管理エレメントに新しいネットワークエレメントの識別表示を送信することも可能であり、新しく組み込まれるネットワークエレメントにネットワーク管理機能を備えたネットワークエレメントのネットワーク識別表示を送信することも可能である。当然のことながら、２つの割り当てパスの柔軟な使用が望ましい場合には、双方向伝送も可能である。
【００４４】
本発明による方法はまた、ネットワークエレメントが割り当てユニットを用いてネットワークから除去され得る範囲まで拡張され得る。本発明による方法の好ましい変形は、割り当てユニットが、第１のネットワークエレメント（NE-1）に第２のネットワークエレメント（NE-2）のネットワークを去るようにさせる第２のコードを送信することができる。
【００４５】
全体ネットワークが解散になる場合、各ネットワークエレメントにネットワークを去るようにさせることは複雑なことがある。この代替として、ネットワーク管理機能を備えたネットワークエレメントにネットワークを解散させることが可能である。この場合、ネットワークから全てのネットワークエレメントを除去するために、１つのみのコマンドが必要になる。更に好ましい方法では、割り当てユニットは、ネットワーク管理機能を備えた第２のネットワークエレメント（NE-2）にネットワークを解散させる第２のコードを送信することができる。
【００４６】
第２のコードについて、割り当てユニットは、“退去”又は“解散”コードの送信用に動かされる更なるプッシュボタンを備えてもよい。しかし、既に割り当てユニットに存在しているコードで、前述の方法の変形を実行することも可能である。これは、割り当てユニットの設計を簡単にするという利点を有し、動作エラーの受けやすさを低くするという利点を有する。
【００４７】
このような方法の変形では、“退去”又は“解散”コードと第１のコードとの違いは、コードが長期間送信されるか、連続して複数回送信されるかということでもよい。前者の場合、約2秒の期間が有用であるとわかった。後者の場合、第１のコードがダブルクリックにより２回送信されることが有用であるとわかった。要約すると、本発明による方法はまた、ネットワークエレメントを除去する第２のコード又はネットワークを解散する第２のコードは、長期間又は複数回送信される第１のコードを有することが好ましい。
【００４８】
本発明の他の目的は、無線ネットワークにネットワークエレメントを割り当てる割り当てユニットであり、ユーザ制御で、第１のネットワークエレメント（NE-1）にコードを送信する送信機を有し、そのコードは、第１のネットワークエレメント（NE-1）にコード（符号化ID）と共にそのIDを送信させ、それにより、後者が第２のネットワークエレメント（NE-2）により受信されることが可能になり、第２のネットワークエレメント（NE-2）がそのネットワークに第１のネットワークエレメント（NE-1）を割り当てる。
【００４９】
本発明による割り当てユニットは、符号化光信号（光パルス）若しくは符号化無線信号として、又はその他の方法で、ネットワークエレメントにコードを送信するように構成されてもよい。本発明による好ましい割り当てユニットは、送信機として符号化光パルス及び／又は符号化光信号を送信する装置を有する。
【００５０】
詳細に前述したように、割り当てユニットが、送信するために新しく組み込まれるネットワークエレメントをアクティベートするだけでなく、特定のメッセージを受信するためにネットワーク管理エレメントをもアクティベートすることが有利である。この場合、本発明による割り当てユニットは、第１のネットワークエレメント（NE-1）にコード（符号化ID）と共にそのIDを送信させるコードが、第２のネットワークエレメント（NE-2）にNE-1からの符号化IDを受信する状態にさせることが好ましい。
【００５１】
符号化IDを送信可能な割り当てユニットが特に有利である。このような割り当てユニットは、符号化IDを受信する受信機を更に有する。
【００５２】
ネットワークエレメント及び割り当てユニットの各動作状態は、ユーザフレンドリに表示されることが好ましく、光学的信号及び聴覚的信号の双方が使用され得る。各動作状態を表示する１つ以上の装置を更に有する本発明による割り当てユニットが、特に好ましい。
【００５３】
周辺からの聴覚信号が妨害としてみなされ得るため、表示装置は光学的装置であることが好ましい。従って、例えば有色発光ダイオード（LED）又は液晶ディスプレイ（LCD）が割り当てユニットの動作状態を表示するために使用されることが可能である。
【００５４】
“退去”又は“解散”機能を備えた発明の好ましい改良を実行するために、本発明による割り当てユニットは、ユーザ制御で、第１のネットワークエレメント（NE-1）に第２のネットワークエレメント（NE-2）のネットワークを去るようにさせる第２のコード、又はネットワーク管理機能を備えた第２のネットワークエレメント（NE-2）にネットワークを解散させる第２のコードを送信する送信機を更に備えてもよい。
【図面の簡単な説明】
【００５５】
【図１】本発明による方法の概略図
【図２】本発明による方法を使用する構成要素
【図３】符号化光パルスを用いた本発明による割り当ての好ましい手順
【図４】本発明による方法の好ましい割り当て手順
【符号の説明】
【００５６】
1  割り当てユニット
2  割り当てられるネットワークエレメントNE-1
3  ネットワーク管理機能を備えたネットワークエレメントNE-2
4  ネットワーク
5  受信機
6  無線インタフェース
7  プッシュボタン
8  送信機
【図１】
2007527635.tif 000003
【図２】
2007527635.tif 000004
【図３】
2007527635.tif 000005
【図４】
2007527635.tif 000006
【国際調査報告】
2007527635.tif 000007
2007527635.tif 000008